(57)【要約】      （修正有）【課題】AC100V電源ケーブル、ビジネスホン用6極4芯モジュラーケーブル(NTT仕様)、パソコン用カテゴリー5LANケーブル、これら3本のケーブルを接続するためのスーパーケーブル3 in 1を提供する。【解決手段】1本のスーパーケーブル 3 in 1と、スーパーケーブル 3 in 1に付属する専用タップにより接続可能にすることで配線が簡単になります。床上で専用タップと専用プラグより簡単に接続されたスーパーケーブル 3 in 1ケーブルの専用プラグの反対側は、AC100V電源ケーブル、ビジネスホン用6極4芯モジュラーケーブル(NTT仕様)、パソコン用カテゴリー5LANケーブルの差し込み口になります。【選択図】図１
0003138946.tif 000002
【実用新案登録請求の範囲】
【請求項１】
事務所等で使用する、一、AC100V電源ケーブル、二、ビジネスホン用6極4芯モジュラーケーブル(NTT仕様)、三、パソコン用カテゴリー5LANケーブルの3本の機能を1本のケーブルに収納し、1つの専用差し込みプラグで床上に配置された専用タップに接続できる専用ケーブル、専用タップ
【考案の詳細な説明】
【技術分野】
【０００１】
本考案は、一、AC100V電源ケーブル、二、ビジネスホン用6極4芯モジュラーケーブル(NTT仕様)、三、パソコン用カテゴリー5LANケーブルの配線に関するものである。
【背景技術】
【０００２】
従来、一、AC100V電源ケーブル、二、ビジネスホン用6極4芯モジュラーケーブル(NTT仕様)、三、パソコン用カテゴリー5LANケーブルの3本を別々に接続するためには、一.AC100Vコンセント、二.6極4芯モジュラージャック、三.リピーターハブの３つの機器が必要になり、一〜三の3本の異なるケーブルと一〜三の3つの機器が必要になり、床上は複雑な配線になります。
本考案は、それらを1本のスーパーケーブル 3 in 1と、スーパーケーブル 3 in 1に付属する専用タップにより接続可能にすることで、配線が簡単になります。
床上に配置された専用タップの床下部分では、
・AC100V電源ケーブル
・ビジネスホン用6極4芯モジュラーケーブル(NTT仕様)
・パソコン用カテゴリー5LANケーブル
が
・コンセント
・6極4芯モジュラージャック
・カテゴリー5LANモジュラージャック
に接続されます。
【０００３】
スーパーケーブル 3 in 1のケーブル部分の構造は、一、AC100V電源ケーブル、二、ビジネスホン用6極4芯モジュラーケーブル(NTT仕様)、三、パソコン用カテゴリー5LANケーブルを1本にまとめる。
新規のケーブルを製作するのではなく、安全性、耐久性を考え、市販されている一〜三のケーブルをビニールのカバーで結束する方式をとる。
そうすることで、安全性の検証が容易になる。
【０００４】
スーパーケーブル 3 in 1の専用プラグ部分の構造は
・AC100V電源ケーブルは安全性、耐久性を考え市販品をそのまま使用する。
・ビジネスホン用6極4芯モジュラーケーブル(NTT仕様)の4本のケーブル
・パソコン用カテゴリー5LANケーブルの4本のケーブル(送信+、送信-、受信+、受信-)
AC100V電源ケーブルのブラグに４＋４の8本のプラグを追加する形で構成される。
安全性を考え追加する8本のプラグは、AC100V電源プラグから十分距離をあけて配置する。
【０００５】
本考案の専用プラグ構造で重要な点として、
1.    
滅多に抜かない  = 抜き差しが面倒な構造でも支障がない
2.    
簡単に外れない  = ロック機能が必要
3.    
差し込んだ状態で角度が変わりにくい  = プラグの外周にカバーをつけることで安定させる
4.    
ほこりがたまりにくい構造  = プラグの外周にカバーをつけることでほこりの侵入を防ぐ
【０００６】
スーパーケーブル 3 in 1ケーブルの専用プラグの反対側は、一、AC100V電源ケーブル、二、ビジネスホン用6極4芯モジュラーケーブル(NTT仕様)、三、パソコン用カテゴリー5LANケーブルの差し込み口になります。
・コンセント
・6極4芯モジュラージャック
・カテゴリー5LANモジュラージャック
【０００７】
2台以上の机が隣接する場合、スーパーケーブル 3 in 1を分配することで床上配線数を減らすことができる。
スーパーケーブル 3 in 1の分配には、分配専用のタップが必要になります。
スーパーケーブル 3 in 1分配専用タップの構造は、複数ある差し込み口のうち、
・電源ケーブルはAC100V電源コンセントを分配専用タップ内部で分配します。
・ビジネスホン用6極4芯モジュラーケーブルも分配専用タップ内部で分配します。
・パソコン用カテゴリー5LANケーブルの分配には、分配専用タップ内部に配置されたリピーターハブにより分配されます。
スーパーケーブル 3 in 1分配専用タップのメリットとして、配線の簡単さがあります。
【０００８】
分配の限界は、
・使用電力が15Aまで
・パソコン用カテゴリー5LANケーブルの場合、分配の分配した場合3回まで(上流にリピーターハブが無い状態で分配器を4台つなげた状態)
【非特許文献１】日経ネットワーク編集  日経BP発行  実践ネットワーク超入門  2007年
【０００９】
スーパーケーブル 3 in 1の固定は、鉄製のデスクの場合、付属の防磁マグネットつきのフックで、簡単に固定することができます。
鉄以外の素材のデスクの場合、付属の両面テープつきのフックで簡単に固定ができます。
【考案の開示】
【考案が解決しようとする課題】
【００１０】
解決しようとする問題点は、会社の模様替えなどでレイアウトが変わった時に、一、AC100V電源ケーブル、二、ビジネスホン用6極4芯モジュラーケーブル(NTT仕様)、三、パソコン用カテゴリー5LANケーブルの違いがわからず、どのように配線して良いのか困っている人や、配線が面倒だと感じている人がいるということ。
【課題を解決するための手段】
【００１１】
本考案は、机から床上の配線は1本のケーブルの特殊な形状のプラグを、専用タップに差すだけなので、迷わず配線が可能になる。
【考案の効果】
【００１２】
本考案のスーパーケーブル 3 in 1は、配線が簡単なだけではなく、実際の配線数を3分の1以下に減らし、床上に配置する機器も3分の1以下に減らすことが可能になります。
【考案を実施するための最良の形態】
【００１３】
事務所など、複数の机を配置する場合、床下配線が可能であれば、あらかじめ数か所にスーパーケーブル 3 in 1専用タップを配置しておくことで、床上配線がきれいになり、レイアウトの自由度が増します。
【産業上の利用可能性】
【００１４】
本考案のスーパーケーブル 3 in 1の使用をあらかじめ考慮したデスクを製作することで、机上の配線もきれいにすることができる。
配線が簡単ななることで、レイアウト変更が簡単になるので、フリーアドレス用のデスクの拡販につながる。
【図面の簡単な説明】
【００１５】
【図１】スーパーケーブル 3 in 1は複雑な配線を簡単にします。
【図２】専用タップ・専用プラグイメージ図
【図３】スーパーケーブル3 in 1ケーブル内配線イメージ
【図４】分配専用タップ配線イメージ
【図１】
0003138946.tif 000003
【図２】
0003138946.tif 000004
【図３】
0003138946.tif 000005
【図４】
0003138946.tif 000006